(57)【要約】【課題】  組立が容易なエアバッグ用ガス発生器の提供。【解決手段】  ２つのカップ状部材20、30が、それらの底面同士が間隔をおいて対向するように筒状部材40で連結された外殻容器を有するエアバッグ用ガス発生器10。カップ状部材20は、ガス発生剤が充填された第１燃焼室28を有し、カップ状部材30は、ガス発生剤が充填された第２燃焼室38を有し、筒状部材40は、ガス排出口41、筒状フィルタ42を有している。【選択図】  図１
2005035417.tif 000002
【特許請求の範囲】
【請求項１】
２つのカップ状部材が、それらの底面同士が間隔をおいて対向するように筒状部材で連結されたものが外殻容器を形成しているエアバッグ用ガス発生器であり、
第１カップ状部材は、底面に破裂可能な遮蔽手段で閉塞された第１連通孔を有し、かつ開口部に嵌め込まれた第１点火手段を有し、気密状態に保持された内部空間にはガス発生剤が充填された第１燃焼室が形成されており、
第２カップ状部材は、底面に破裂可能な閉塞部材で閉塞された第２連通孔を有し、かつ開口部に嵌め込まれた第２点火手段を有し、気密状態に保持された内部空間にはガス発生剤が充填された第２燃焼室が形成されており、
筒状部材は、側壁にガス排出口を有し、ガス排出口に対向するように筒状部材の内側に配置された筒状フィルタを有している、エアバッグ用ガス発生器。
【請求項２】
筒状部材内に配置された筒状フィルタの両端面が、それぞれ２つのカップ状部材の底面に当接されており、筒状フィルタの外周面とガス排出口との間に間隙が設けられている、請求項１記載のエアバッグ用ガス発生器。
【請求項３】
筒状部材内には、第２連通孔を覆うようにしてキャップが配置されており、前記キャップが、筒状フィルタ内周面に対向する位置にのみ連通孔を有している、請求項１又は２記載のエアバッグ用ガス発生器。
【請求項４】
前記キャップは、開口部外側に延びるフランジ部を有しており、前記フランジ部と筒状フィルタの一端面が当接され、フランジ部により筒状フィルタが位置決めされている、請求項３記載のエアバッグ用ガス発生器。
【請求項５】
２つのカップ状部材と筒状部材が、それぞれの周壁面におけるカシメにより連結固定されている、請求項１〜４のいずれかに記載のエアバッグ用ガス発生器。
【請求項６】
２つのカップ状部材が有する第１連通孔及び第２連通孔が、それぞれの底面中央部に１つ設けられている、請求項１〜５のいずれかに記載のエアバッグ用ガス発生器。
【請求項７】
２つのカップ部材の開口部に嵌め込まれた第１点火手段及び第２点火手段が、カシメにより固定されている、請求項１〜６のいずれかに記載のエアバッグ用ガス発生器。
【請求項８】
請求項１〜７のいずれかに記載のエアバッグ用ガス発生器の組立方法であり、
２つのカップ状部材の底面に設けられた連通孔を閉塞部材で閉塞する工程、
２つのカップ状部材の内部にガス発生剤を充填する工程、
２つのカップ状部材の開口部に点火手段を嵌め込んで固定する工程、
２つのカップ状部材の気密状態を確認するエアリーク試験をする工程、
２つのカップ状部材の底面同士が間隔をおいて対向するように筒状部材で連結固定する工程、
を有している、エアバッグ用ガス発生器の組立方法
【発明の詳細な説明】
【技術分野】
【０００１】
本発明は、エアバッグ用ガス発生器及びその組立方法に関する。
【背景技術】
【０００２】
エアバッグシステムに使用されるエアバッグ用ガス発生器には、乗員の安全確保の観点から様々な要求がなされると共に、製造コスト低減の観点から、組立方法や検査方法の容易さも重要となる。
【０００３】
組立方法が複雑であると、製造時間の増加による製造コストの上昇が生じ、複雑な組立方法を経ることによる不良品の発生率の増加も考えられる。
【０００４】
また、ガス発生剤を用いるガス発生器の場合、湿気の侵入によりガス発生剤が吸湿し、作動しないような事態の発生を防止するため、製造工程中又は製品の出荷前に気密状態を確認するためのエアリーク試験が行われるが、不良と判定されたときには製品自体を廃棄する必要が生じる。
【０００５】
特許文献１には、両端に燃焼室16,20、中央部にフィルタ室12が配置されたガス発生器10が開示されている。ハウジングは、外殻容器（左半分）22と右半分24が、中央部のフィルタ室12内に配置された結束部材56にて接続された構造であり、燃焼室15,20とフィルタ室12とを仕切る仕切り部材46により区画されている。仕切り部材46には、連通孔92が形成されており、各燃焼室で発生した燃焼ガスは、連通孔92を通過してフィルタ室12に入り、クーラントフィルタ96を経た後、ガス排出口から排出される。連通孔92は、フォイル94で閉塞されており、湿気が各燃焼室内に侵入することが防止されている。
【０００６】
しかし、この先行技術では、仕切り板46はハウジングと別部材であり、外殻容器22,24に形成されたテーパー部分48によって、締め勝手で固定されているものであるため、溶接等のように完全な固定法とはいえない。
【０００７】
また、燃焼室16,20の気密度を評価するエアリーク試験は、ガス発生器の組立が終了した時点（最終製品となった時点）でないとできないため、試験に不合格なものは全て不良品となってしまい、部品の無駄が生じるという問題がある。更に減圧によるエアリーク試験に際しては、フィルタ室12内の空気を全て抜く必要があるため、時間が掛かりすぎるという問題がある。また、ヘリウムリーク試験の場合、フィルタ室12内に充填したヘリウムにより誤判断されたり、結果が出るまで時間がかかるという問題もある。
【特許文献１】USP 5,033,390
【発明の開示】
【発明が解決しようとする課題】
【０００８】
本発明は、組立方法が簡単で、出荷前のエアリーク試験も容易であり、製品としての不良品発生率が小さく、特に助手席用として適したエアバッグ用ガス発生器、及びその組立方法を提供することを課題とする。
【課題を解決するための手段】
【０００９】
請求項１の発明は、課題の解決手段として、２つのカップ状部材が、それらの底面同士が間隔をおいて対向するように筒状部材で連結されたものが外殻容器を形成しているエアバッグ用ガス発生器であり、
第１カップ状部材は、底面に破裂可能な遮蔽手段で閉塞された第１連通孔を有し、かつ開口部に嵌め込まれた第１点火手段を有し、気密状態に保持された内部空間にはガス発生剤が充填された第１燃焼室が形成されており、
第２カップ状部材は、底面に破裂可能な閉塞部材で閉塞された第２連通孔を有し、かつ開口部に嵌め込まれた第２点火手段を有し、気密状態に保持された内部空間にはガス発生剤が充填された第２燃焼室が形成されており、
筒状部材は、側壁にガス排出口を有し、ガス排出口に対向するように筒状部材の内側に配置された筒状フィルタを有している、エアバッグ用ガス発生器を提供する。
【００１０】
本発明のガス発生器は、２つのカップ状部材内に形成された第１及び第２燃焼室内のガス発生剤の燃焼による燃焼ガスが、第１及び第２連通孔を通って筒状部材内に流入した後、フィルタを経由してガス排出口から排出されることで、エアバッグを膨張展開させるものである。
【００１１】
本発明のガス発生器は、２つのカップ状部材と筒状部材の３つの部材により、外殻容器が形成されているため、それらを結合する前においては、それぞれ独立した組立作業ができ、最終的に３つの部材を結合すればよいので作業性が向上される。
【００１２】
更に、２つのカップ状部材の底面に設けられた第１及び第２貫通孔の閉塞は、例えば、それぞれの開口部から、アルミニウム製、ステンレス製等のシールテープを貼り付ける方法が適用できるので、作業は容易である。
【００１３】
また、２つのカップ状部材にはガス発生剤が充填されるため気密性が求められるが、筒状部材は外部雰囲気と連通するガス排出口を有していても気密性は求められない。このため、製品全体に気密性を付与する必要はなく、２つのカップ部材にのみ気密性を付与すれば良いので、作業が容易となる。
【００１４】
更に、エアリーク試験は、製品の最終組立前（２つのカップ状部材と筒状部材の接続前）において、２つのカップ状部材にのみ行えばよい。したがって、最終製品となったものを試験する場合に比べると、試験自体が容易となるほか、エアリーク試験で不良となったときには、カップ部材のみ廃棄すればよく、最終製品となった後にエアリーク試験で不良となったときのように、製品全体を廃棄する必要はない。
【００１５】
請求項２の発明は、請求項１記載のエアバッグ用ガス発生器において、筒状部材内に配置された筒状フィルタの両端面が、それぞれ２つのカップ状部材の底面に当接されており、筒状フィルタの外周面とガス排出口との間に間隙が設けられているものを提供する。
【００１６】
このように、筒状フィルタの両端面が２つのカップ状部材の底面に当接されているため、燃焼ガスは必ずフィルタを経由してガス排出口から排出される。
【００１７】
また、筒状フィルタの外周面とガス排出口との間に間隙が設けられているので、ガス排出口と対向するフィルタ部分にのみ燃焼ガスが集中することが防止され、燃焼ガスがフィルタ全体を通過するようになるため、燃焼残渣の捕集及び燃焼ガスの冷却機能が十分に発揮される。
【００１８】
なお、筒状フィルタの外周面とガス排出口との間に間隙を設けるため、筒状部材の内周壁面及び／又は第１及び第２カップ部材の底面に、筒状フィルタの位置決め手段となるような突起等を設けることができる。
【００１９】
請求項３の発明は、請求項１又は２記載のエアバッグ用ガス発生器において、筒状部材内には、第２連通孔を覆うようにしてキャップが配置されており、前記キャップが、筒状フィルタ内周面に対向する位置にのみ連通孔を有しているものを提供する。
【００２０】
点火手段の作動により、第１燃焼室のガス発生剤の燃焼により生じた燃焼ガスが第２燃焼室内に流入したとき、第２燃焼室内のガス発生剤は点火手段の作動によらないで燃焼してしまい、誤作動となる。しかし、上記のようなキャップを配置することにより、前記したような誤作動が防止される。
【００２１】
なお、ここで第２燃焼室は、第１燃焼室よりも早く作動することはない。即ち、第１燃焼室と同時か遅れて作動する場合に第２燃焼室への伝火を阻止するものであるから、作動順が任意の場合には、筒状部材内の第１連通孔側にも同様な別のキャップを配置することができる。
【００２２】
請求項４の発明は、請求項３記載のエアバッグ用ガス発生器において、前記キャップは、開口部外側に延びるフランジ部を有しており、前記フランジ部と筒状フィルタの一端面が当接され、フランジ部により筒状フィルタが位置決めされているものを提供する。
【００２３】
このようなフランジを有するキャップを用いることで、筒状フィルタの位置決めが容易となり、筒状フィルタの外周面とガス排出口との間に間隙を形成することも容易となる。
【００２４】
また、上記したとおり、筒状フィルタが突起等の位置決め手段により位置決めされているときは、筒状フィルタの一端面と第２カップ状部材の底面との間でフランジ部が押圧されることにより、キャップ自体が固定され、位置決めされる。
【００２５】
請求項５の発明は、請求項１〜４のいずれかに記載のエアバッグ用ガス発生器において、２つのカップ状部材と筒状部材が、それぞれの周壁面におけるカシメにより連結固定されているものを提供する。
【００２６】
２つのカップ状部材が気密状態に維持されていれば、それらを連結する筒状部材は気密状態である必要はないため、接続手段として簡便なカシメを適用できる。したがって、カシメ自体は特に制限されるものではなく、例えば、外周全体を１周又は２周以上カシメてもよいし、外周を断続的にカシメてもよい。
【００２７】
請求項６の発明は、請求項１〜５のいずれかに記載のエアバッグ用ガス発生器において、２つのカップ状部材が有する第１連通孔及び第２連通孔が、それぞれの底面中央部に１つ設けられているものを提供する。
【００２８】
エアバッグの展開性能を細かく調整するためには、２つの燃焼室に充填するガス発生剤の量を異ならせておくことが好ましいが、各ガス発生剤の表面積も異なってくるため、各ガス発生剤の燃焼速度を一括して調整することは難しい。
【００２９】
よって、第１及び第２カップ部材の底部に形成された第１及び第２連通孔で、各ガス発生剤の燃焼性能（第１及び第２燃焼室の燃焼内圧）を調整することで、エアバッグの展開性能を細かく調整することが考えられる。第１及び第２燃焼室の燃焼内圧を所望レベルに調整しようとするとき、ガス発生剤の表面積に応じて第１及び第２連通孔の開口面積を決める必要がある。これは、単位時間当たりのガス発生量はガス発生剤の表面積に依存すること、またガス発生剤の燃焼速度は圧力に依存するため、連通孔によって各燃焼室の燃焼内圧を調整することができるためである。
【００３０】
しかし、第１及び第２連通孔を多数の孔で構成した場合、閉塞手段（シールテープ）の厚みのばらつき、又は作動時の環境（温度、即ち圧力等）によって、一部連通孔のシールテープが破裂しない場合がある。そのような場合には必要な開口面積を確保できず、その結果、燃焼内圧にばらつきが生じ、エアバッグの展開性能を調整できなくなる。このため、エアバッグの展開性能を細かく調整する観点から、第１及び第２連通孔を１つずつにして確実に開口させることにより、燃焼内圧のばらつきをなくすことが好ましい。
【００３１】
請求項７の発明は、請求項１〜６のいずれかに記載のエアバッグ用ガス発生器において、２つのカップ部材の開口部に嵌め込まれた第１点火手段及び第２点火手段が、かしめられることで固定されているものを提供する。
【００３２】
請求項８の発明は、他の課題の解決手段として、請求項１〜７のいずれかに記載のエアバッグ用ガス発生器の組立方法であり、２つのカップ状部材の底面に設けられた連通孔を閉塞部材で閉塞する工程、２つのカップ状部材の内部にガス発生剤を充填する工程、２つのカップ状部材の開口部に点火手段を嵌め込んで固定する工程、２つのカップ状部材の気密状態を確認するエアリーク試験をする工程、２つのカップ状部材の底面同士が間隔をおいて対向するように筒状部材で連結固定する工程、を有している、エアバッグ用ガス発生器の組立方法を提供する。
【００３３】
このように最終の組立工程前にエアリーク試験を適用できるので、空気漏れ（気密性不良）が見つかった場合にも、部品の廃棄だけで済み、最終製品の廃棄がなくなるので、結果として最終製品の不良品発生率が低下する。
【発明の効果】
【００３４】
本発明のエアバッグ用ガス発生器は、高い品質及び信頼性を有する製品を、簡便な組立方法を適用して得ることができる。
【発明を実施するための最良の形態】
【００３５】
（１）エアバッグ用ガス発生器
以下、図面により、本発明のエアバッグ用ガス発生器の実施形態を説明する。図１は、エアバッグ用ガス発生器の軸方向断面図である。
【００３６】
エアバッグ用ガス発生器10は、第１カップ状部材20、第２カップ状部材30、筒状部材40から外殻容器が形成されており、第１カップ状部材20と第２カップ状部材30は、それぞれの底面21、31が間隔をおいて対向するように、筒状部材40により連結されている。
【００３７】
第１カップ状部材20は、底面21に破裂可能な遮蔽手段（シールテープ）22で内側から閉塞された第１連通孔23を有している。第１連通孔23の数及び底面における形成位置は特に制限されるものではないが、他部材との位置関係の調整及び燃焼ガスの流れを円滑にし、性能を安定させる観点から、底面21の中央に１つだけ設けることが望ましい。
【００３８】
第１カップ状部材20の開口部24には第１点火手段25が嵌め込まれている。第１点火手段25は、カラー26と第１点火器27からなるもので、開口部24の開口周縁部24aでカシメることで、第１カップ状部材20に固定されている。なお、カラー26の外周面には円周溝が設けられており、気密性の向上のため、円周溝にはＯ−リング29が嵌め込まれている。このように開口部24は、主としてカラー26及びＯ−リング29により完全に閉塞されているため、第１カップ状部材20の内部空間は気密状態に保持されている。
【００３９】
第１カップ状部材20の内部空間は、第１燃焼室28となるもので、所要量のガス発生剤（図示せず；固形状のもので、形状は任意である。例えば、ペレット状、錠剤状、円柱状、単孔円柱状、多孔円柱状）が充填されている。
【００４０】
第１燃焼室28内は、第１カップ状部材20、第１連通孔23を閉塞するシールテープ22、第１点火手段25（カラー26及びＯ−リング29）により気密状態に保持されているので、外部雰囲気からの湿気の侵入が防止される。
【００４１】
第２カップ状部材30は、底面31に破裂可能な遮蔽手段（シールテープ）32で内側から閉塞された第２連通孔33を有している。第２連通孔33の数及び底面における形成位置は、第１連通孔23の場合と同様に、燃焼内圧の安定、他部材との位置関係の調整、燃焼ガスの流れを円滑にする観点から、底面31の中央に１つだけ設けることが望ましい。
【００４２】
第２カップ状部材30の開口部34には第２点火手段35が嵌め込まれている。第２点火手段35は、カラー36と第２点火器37からなるもので、開口部34の開口周縁部34aでカシメることで、第２カップ状部材30に固定されている。なお、カラー36の外周面には円周溝が設けられており、気密性の向上のため、円周溝にはＯ−リング39が嵌め込まれている。このように開口部34は、主としてカラー36及びＯ−リング39により完全に閉塞されているため、第２カップ状部材30の内部空間は気密状態に保持されている。
【００４３】
第２カップ状部材30の内部空間は、第２燃焼室38となるもので、所要量のガス発生剤（図示せず。第１燃焼室28で例示した形状のものを用いることができる。）が充填されている。
【００４４】
第２燃焼室38内は、第２カップ状部材30、第２連通孔33を閉塞するシールテープ32、第２点火手段35（カラー36及びＯ−リング39）により気密状態に保持されているので、外部雰囲気からの湿気の侵入が防止される。
【００４５】
筒状部材40は、側壁に複数のガス排出口41を有し、複数のガス排出口41に対向するように筒状部材40の内側に配置された筒状フィルタ42を有している。筒状フィルタ42は、両端面が、それぞれ２つのカップ状部材の底面21、31に当接されている。筒状部材40内の筒状フィルタ42で囲まれた空間は、燃焼ガス流入空間44を形成している。燃焼ガス流入空間44は円筒状空間であり、その径の大きさは、燃焼ガスの流れを円滑にすると共に、筒状フィルタ42の機能が十分に発揮されるようにするため、第１連通孔23、第２連通孔33の径よりも大きくなるように設定されている。
【００４６】
筒状部材40では、筒状フィルタ42がこのような配置状態であるため、燃焼ガスがガス排出口41から排出されるとき、必ず筒状フィルタ42を経由して排出されるので、燃焼残渣の捕集や燃焼ガスの温度低下というフィルタ機能が十分に発揮される。
【００４７】
筒状部材40（ガス排出口41）と筒状フィルタ42の外周面との間には、間隙45が設けられている。このような間隙45を設けることにより、燃焼ガスがガス排出口41と対向する部分の筒状フィルタ42のみに集中して流れることが防止され、筒状フィルタ42の全体を燃焼ガスが通過するので、フィルタ機能が十分に発揮される。
【００４８】
エアバッグ用ガス発生器10では、（i）第１燃焼室28のガス発生剤のみが燃焼する場合（車両の衝突により乗員が受ける衝撃が軽度の場合）、（ii）第１燃焼室28のガス発生剤が先に燃焼し、遅れて第２燃焼室38のガス発生剤が燃焼する場合（車両の衝突により乗員が受ける衝撃が中度の場合）、或いは（iii）第１燃焼室28と第２燃焼室38のガス発生剤が同時に燃焼する場合（車両の衝突により乗員が受ける衝撃が重度の場合）のように燃焼形態を異ならせることで、車両の衝突により乗員が受ける衝撃の程度に応じて、エアバッグの展開状態を調節する。
【００４９】
特に（i）、（ii）の場合、第１燃焼室28で生じた燃焼ガスが第２燃焼室38内に流入した場合、第２燃焼室38内のガス発生剤が着火燃焼してしまい、誤作動の要因となる。このような誤作動の可能性を排除するため、図示するように、筒状部材40に、第２連通孔33を覆うようにしてキャップ50を配置することができる。
【００５０】
キャップ50は、第１連通孔23に対向する底面は閉塞されており、筒状フィルタ42の内周面に対向する側面51にのみ複数の第３連通孔52を有している。なお、筒状フィルタ42の内周面と第３連通孔52との間には、間隙45と同様の理由から間隙が設けられているが、この間隙はごく狭いものであるため、この間隙を燃焼ガスが通った場合であっても、誤作動を起こす虞はない。
【００５１】
なお、図１において、第１点火手段25と第２点火手段35の作動順序が任意であるようなタイプのガス発生器の場合には、第１連通孔23側にもキャップ50を配置することができる。
【００５２】
キャップ50は、開口部から外側に延びるフランジ部54を有しており、フランジ部54の先端付近は第１カップ部材20側に折れ曲がっており（折れ曲がり部54a）、側面51、フランジ部54、折れ曲がり部54aにより囲まれた環状溝内において、筒状フィルタ42の一端側が嵌め込まれるようにして当接されている。更に折れ曲がり部54aは、筒状部材40の内周面に圧入されていることが好ましい。
【００５３】
このようにして、キャップ50と筒状フィルタ42の配置状態を関連づけることにより、筒状フィルタ42の位置決めが容易にでき、間隙45の確保が容易となる。また、キャップ50は、筒状フィルタ42の一端面と底面33で押圧されているので、位置がずれることがない。
【００５４】
第１カップ状部材20と筒状部材40は、カシメ部11において周囲をカシメることで連結され、第２カップ状部材30と筒状部材40は、カシメ部12において周囲をカシメることで連結されている。
【００５５】
次に、図１により、第１燃焼室28のガス発生剤が先に燃焼し、遅れて第２燃焼室38のガス発生剤が燃焼する場合（車両の衝突により乗員が受ける衝撃が中度の場合）におけるエアバッグ用ガス発生器の動作を説明する。
【００５６】
車両の衝突を受けて、第１点火手段25が作動して、第１燃焼室28内のガス発生剤を燃焼させ、燃焼ガスを発生させる。燃焼ガスの発生により、シールテープ22は破裂して、第１連通孔23が開口され、燃焼ガスは筒状部材40内の燃焼ガス流入空間44に流入する。このとき、キャップ50が取り付けられているので、燃焼ガスがシールテープ32を破って、第２連通孔33から第２燃焼室38内に流入することが防止される。
【００５７】
その後、燃焼ガスは、筒状フィルタ42を通ることで、燃焼ガスに含まれている燃焼残渣が捕集され、燃焼ガス温度が低下された後、ガス排出口41から排出されて、エアバッグを膨張展開させる。
【００５８】
遅れて第２点火手段35が作動して、第２燃焼室38内のガス発生剤が燃焼ガスを発生させると、燃焼ガスは、シールテープ32を破って第２連通孔33からキャップ50の第３連通孔52を通り、燃焼ガス流入空間44に流入した後、筒状フィルタ42を通ってガス排出口41から排出され、エアバッグを更に膨張展開させる。
【００５９】
本発明のエアバッグ用ガス発生器は、助手席用として適しているが、運転席用、サイド用（側突用）等の他のガス発生器としても適用できる。
【００６０】
（２）エアバッグ用ガス発生器の組立方法
次に、図１で示すエアバッグ用ガス発生器10の組立方法を工程ごとに説明する。なお、以下の各工程は、２以上の工程を１つの工程にしてもよく、１つの工程を２以上に分けてもよいし、公知のガス発生器の組立工程を付加してもよい。
【００６１】
まず、２つのカップ状部材20、30の底面に設けられた第１連通孔23、第２連通孔33にアルミニウム製等のシールテープ22、32を貼り付けることで閉塞する。このとき、シールテープ22、32の貼り付けは、２つのカップ状部材20、30の開口部24、34から行えばよいので、貼り付け作業は容易である。
【００６２】
次に、２つのカップ状部材20、30の内部に、所要量のガス発生剤を充填する。ガス発生剤の量、組成、形状、寸法等は同一でも、異なっていてもよい。
【００６３】
次に、２つのカップ状部材20、30の開口部24、34に第１点火手段25、第２点火手段35を嵌め込み、開口部24、34の周縁部24a、34aをカシメることで固定する。このとき、Ｏ−リング29、39を介在させることで、気密性を確実にできる。
【００６４】
次に、２つのカップ状部材20、30の気密状態を確認するエアリーク試験をする。エアリーク試験の方法は特に制限されるものではないが、一例を図２により説明する。
【００６５】
１．測定対象物（ワーク）と比較対象物（マスタ）のそれぞれを測定チャンバに入れる；
２．それぞれの測定チャンバに接続されたチャンバＡ、チャンバＢ内をポンプで真空にする。（栓Ａ、栓Ｂは閉じ、栓Ｃ、栓Ｄは開けておく）；
３．栓Ａ、栓Ｂを開き、栓Ｃ、栓Ｄを閉じる；
４．差圧計にてマスターとワークの差圧を測定し、ワークのエアリークの有無を判断する。ワークに空気漏れがあると（ワークが気密状態でないと）、差圧が発生することで確認できる。
【００６６】
次に、試験結果に問題がなければ、２つのカップ状部材20、30の底面21、31同士が間隔をおいて対向するようにして、筒状部材40で連結固定する。
【００６７】
２つのカップ状部材20、30の間隔は、筒状フィルタ42の長さ等と関連して決定しておく。筒状部材40の内径は、２つのカップ状部材20、30の外径と同程度又は僅かに大きめに設定しておく。連結固定方法は、溶接法やカシメを適用できるが、２つのカップ状部材20、30の気密性が確認されていれば、筒状部材40の気密性は不要であることから、より簡便なカシメが好ましい。
【００６８】
このようにして、２つのカップ状部材20、30の気密状態をエアリーク試験で確認すれば、不良品であったとき、一方又は両方のカップ状部材のみを廃棄すればよいので部品の無駄が少なくなり、結果として製品の不良品発生率が小さくなる。
【００６９】
２つのカップ状部材20、30と筒状部材40を連結した後にエアリーク試験をした場合、不良品であったときには、製品全体を廃棄しなければならず、部品や組立工程の無駄が多くなる。
【図面の簡単な説明】
【００７０】
【図１】エアバッグ用ガス発生器の軸方向断面図。
【図２】エアリーク試験の説明図。
【符号の説明】
【００７１】
10  エアバッグ用ガス発生器
20  第１カップ状部材
23  第１連通孔
28  第１燃焼室
30  第２カップ状部材
33  第２連通孔
38  第２燃焼室
40  筒状部材
41  ガス排出口
42  筒状フィルタ
50  キャップ
【図１】
2005035417.tif 000003
【図２】
2005035417.tif 000004